(57)【要約】【課題】    間仕切り壁等の固定対象物を、簡単な操作で、精度良く突っ張り固定したり、突っ張り固定を解除することができる突っ張り固定装置を提供する。【解決手段】  固定対象物(１)を、床面(24)から天井面(25)に跨って突っ張って固定するための突っ張り固定装置(30)において、前記固定対象物(１)の上端部に横方向に移動可能に支持された第１の横材(40)と、前記固定対象物(１)の上端部に縦方向に移動可能に支持されて、天井面(25)に対して当接可能とされた第２の横材(50)とを設け、前記第１の横材(40)に螺合した単一のボルトの回転操作による第１の横材(40)の移動に伴って、前記第２の横材(50)を縦方向に移動させる連動機構を設ける。【選択図】  図４
2006207223.tif 000002
【特許請求の範囲】
【請求項１】
固定対象物を、床面から天井面に跨って突っ張って固定するための突っ張り固定装置であって、前記固定対象物の上端部に横方向に移動可能に支持された第１の横材と、前記固定対象物の上端部に縦方向に移動可能に支持されて、天井面に対して当接可能とされた第２の横材とを備え、前記第１の横材に螺合した単一のボルトの回転操作による第１の横材の移動に伴って、前記第２の横材を縦方向に移動させる連動機構が設けられていることを特徴とする突っ張り固定装置。
【請求項２】
前記連動機構は、前記第１の横材又は第２の横材のいずれか一方に設けられ、第１の横材の移動方向に延びる傾斜穴と、前記第１の横材又は第２の横材のいずれか他方に設けられ、前記傾斜穴に沿って移動可能にその傾斜穴に挿通された係合部材とからなる請求項１記載の突っ張り固定装置。
【請求項３】
前記傾斜穴及び係合部材は、第１の横材の移動方向に間隔を空けて複数設けられている請求項２記載の突っ張り固定装置。
【請求項４】
前記固定対象物の上端部に、開口部を上向きにした溝形の枠材が設けられ、前記の第１横材及び第２横材は、前記枠材の溝内に嵌り込んだ状態で、その枠材に支持されている請求項１乃至３のいずれかに記載の突っ張り固定装置。
【請求項５】
前記第１の横材又は枠材のいずれか一方に、第１の横材の移動方向に延びる横穴が設けられ、前記第１の横材又は枠材いずれか他方に、前記横穴に沿って移動可能にその横穴に挿通された係合部材が設けられている請求項４記載の突っ張り固定装置。
【請求項６】
前記第２の横材又は枠材のいずれか一方に、第２の横材の移動方向に延びる縦穴が設けられ、前記第２の横材又は枠材のいずれか他方に、前記縦穴に沿って移動可能にその縦穴に挿通された係合部材が設けられている請求項４又は５記載の突っ張り固定装置。
【請求項７】
前記固定対象物は間仕切り壁であって、その間仕切り壁の上端部に沿って、前記第１の横材及び第２の横材を取り付け、第１の横材の一端部に、前記ボルトを第１の横材の移動方向に沿った状態で螺着して、そのボルト頭部を、間仕切り壁の端面側に配置した請求項１乃至６のいずれかに記載の突っ張り固定装置。
【請求項８】
前記第１の横材を前記ボルト頭部から離間する側へ移動させる方向へ付勢する付勢体を設けた請求項７記載の突っ張り固定装置。
【発明の詳細な説明】
【技術分野】
【０００１】
この発明は、主として住宅内に設置される可動間仕切り壁等の固定対象物を、床面から天井面に跨って固定するのに用いる突っ張り固定装置に関する。
【背景技術】
【０００２】
住宅の長寿命化が重要視される近年では、構造躯体等の高耐久化とともに、居室空間を臨機応変に変化させて、居住者のライフスタイルやライフステージの変化に柔軟に対応できる内装システムが求められている。そして、そのような内装システムの構築には、可動間仕切り壁が必要不可欠な要素となっている。
【０００３】
従来の可動間仕切り壁は、取付け強度が高くて壁としての要素が強いものと、居住者による着脱が容易な建具としての要素が強いものとに分けられる。しかし、前者は、施工業者による設置工事を伴い、居住者が間仕切り壁を容易に設置したり取り外すことができないため、間仕切り壁の配置を柔軟に変化させることができず、後者は、構造やデザインが非常に簡易であり、防音性や強度面等において壁と呼べるようなものではなかった。
【０００４】
そこで、近年では、取付け強度が安定した間仕切り壁を、施工業者による設置工事を伴うことなく、床面から天井面に跨って突っ張り固定するための突っ張り固定装置が提案されている。
【０００５】
例えば特許文献１に記載の突っ張り固定装置は、昇降可能な横材を可動間仕切り壁の上端部に設け、その横材を天井面に当接させることで、可動間仕切り壁を床面と天井面とに跨って突っ張り固定するものである。
【０００６】
この横材の昇降は、壁本体の正面に設けられた左右２箇所の調整口からドライバー等を挿入し、壁本体内部のギアを回転操作することで行われ、それによって、居住者自身が、可動間仕切り壁を容易に固定したり取り外すことができるようになっている。
【０００７】
【特許文献１】特開平１０−１５９２２０号公報
【発明の開示】
【発明が解決しようとする課題】
【０００８】
しかし、特許文献１に記載の突っ張り固定装置は、間仕切り壁の着脱時において、左右２箇所の調整口へドライバー等を交互に差し込んでギアを回転操作して、横材を傾くことなく平行な状態となるように調整しながら昇降させる必要があり、煩雑な作業を強いられる欠点があった。
【０００９】
また、ドライバー等を差し込むための２つの調整口が、可動間仕切り壁の正面に露出してしまうため、意匠性が悪くなってしまい、それら調整口を覆い隠すためには、そのためのカバー部材を別途用いなければならなかった。
【００１０】
そこで、この発明は、上記のような不具合を解消して、間仕切り壁等の固定対象物を、簡単な操作で、精度良く突っ張り固定したり、突っ張り固定を解除することができる突っ張り固定装置を提供することを目的とする。
【課題を解決するための手段】
【００１１】
上記の課題を解決するため、この発明における突っ張り固定装置は、固定対象物を、床面から天井面に跨って突っ張って固定するための突っ張り固定装置であって、前記固定対象物の上端部に横方向に移動可能に支持された第１の横材と、前記固定対象物の上端部に縦方向に移動可能に支持されて、天井面に対して当接可能とされた第２の横材とを備え、前記第１の横材に螺合した単一のボルトの回転操作による第１の横材の移動に伴って、前記第２の横材を縦方向に移動させる連動機構が設けられていることを特徴とする。
【００１２】
また、前記連動機構は、前記第１の横材又は第２の横材のいずれか一方に設けられ、第１の横材の移動方向に延びる傾斜穴と、前記第１の横材又は第２の横材のいずれか他方に設けられ、前記傾斜穴に沿って移動可能にその傾斜穴に挿通された係合部材とからなる。
【００１３】
さらに、前記傾斜穴及び係合部材は、第１の横材の移動方向に間隔を空けて複数設けられている。
【００１４】
さらにまた、前記固定対象物の上端部に、開口部を上向きにした溝形の枠材が設けられ、前記の第１横材及び第２横材は、前記枠材の溝内に嵌り込んだ状態で、その枠材に支持されている。
【００１５】
また、前記第１の横材又は枠材のいずれか一方に、第１の横材の移動方向に延びる横穴が設けられ、前記第１の横材又は枠材いずれか他方に、前記横穴に沿って移動可能にその横穴に挿通された係合部材が設けられている。
【００１６】
さらに、前記第２の横材又は枠材のいずれか一方に、第２の横材の移動方向に延びる縦穴が設けられ、前記第２の横材又は枠材のいずれか他方に、前記縦穴に沿って移動可能にその縦穴に挿通された係合部材が設けられている。
【００１７】
さらにまた、前記固定対象物は間仕切り壁であって、その間仕切り壁の上端部に沿って、前記第１の横材及び第２の横材を取り付け、第１の横材の一端部に、前記ボルトを第１の横材の移動方向に沿った状態で螺着して、そのボルト頭部を、間仕切り壁の端面側に配置した。
【００１８】
加えて、前記第１の横材を前記ボルト頭部から離間する側へ移動させる方向へ付勢する付勢体を設けた。
【発明の効果】
【００１９】
この発明における突っ張り固定装置は、第１の横材に螺合した単一のボルトの回転操作による第１の横材の移動に伴って、第２の横材を縦方向に移動させる連動機構が設けられているため、単一のボルトを回転操作するだけの極めて簡単な操作で、第２の横材を昇降させて、可動間仕切り壁等の固定対象物を突っ張り固定したり、突っ張り固定を解除することができる。
【００２０】
また、上記の連動機構が、第１の横材又は第２の横材のいずれか一方に設けられた傾斜穴と、いずれか他方に設けられ、傾斜穴に移動可能に挿通された係合部材とからなる簡単な機構であるため、製造コストの高騰を避けることができる。
【００２１】
さらに、上記の傾斜穴及び係合部材が、第１の横材の移動方向に間隔を空けて複数設けられているため、第２の横材を傾くことなく平行な状態を維持しながら昇降させることができ、突っ張り固定及び突っ張り固定の解除を精度良く行うことができる。
【００２２】
さらにまた、第１の横材及び第２の横材は、固定対象物上端部に設けられた枠材の溝内に嵌り込んだ状態で、その枠材に支持されているため、第１の横材及び第２の横材が露出して意匠性が悪化するのを防ぐことができる。
【００２３】
また、固定対象物が間仕切り壁である場合において、上記のボルトの頭部を間仕切り壁の端面側に配置することで、そのボルトの頭部を、隣接する間仕切り壁や端面を覆い隠す化粧用のカバー等で覆い隠すことができ、意匠性の悪化を防ぐことができる。
【００２４】
加えて、第１の横材をボルト頭部から離間する側へ移動させる方向へ付勢させる付勢体を設けることで、第１の横材が移動時にがたつくのを防いだり、第１の横材の移動をスムーズに行わせることができる。
【発明を実施するための最良の形態】
【００２５】
以下、この発明の実施形態を図面に基づいて詳細に説明する。図１において、(１)は、固定対象物である可動間仕切り壁の壁本体である。壁本体(１)は、方形枠状のフレーム(２)と、このフレーム(２)の表裏面に張り付けた石膏ボード等からなる壁面材(３)(３)とからなる。
【００２６】
フレーム(２)は、図２に示すように、左右一対の縦フレーム部材(７)(７)と、それら縦フレーム部材(７)(７)の上端部間に跨る上フレーム部材(８)と、縦フレーム部材(７)(７)の下端部間に跨る下フレーム部材(９)とからなる。
【００２７】
縦フレーム部材(７)(７)は、例えば断面略ロ字形の内側縦枠材(10)(10)と、その内側縦枠材(10)(10)の外側に固定され、開口部を外向きにした溝形の外側縦枠材(11)(11)とからなる。外側縦枠材(11)(11)は、内側縦枠材(10)(10)の上端及び下端よりそれぞれ突出している。
【００２８】
また、外側縦枠材(11)(11)の下端部には、図１に示すように、床面(24)に設けたガイドレール(26)に移動可能に挿入する突起(17)(17)が、壁本体(１)の下端より出没可能なように、保持金具(20)(20)を介して上下動可能に取り付けられている。この突起(17)は、縦方向に沿った棒状に形成され、その上端を略直角に屈曲してなる係止部(18)を備えている。
【００２９】
そして、突起(17)は、その係止部(18)を保持金具(20)のフック部(21)に係止することで、壁本体(１)下端より突出しないように保持され、突起(17)の係止部(18)と保持金具(20)のフック部(21)との係止状態を解除することで、突起(17)が下方へ落とし込まれて、壁本体(１)下端より下方へ突出し、床面(24)のガイドレール(26)に嵌り込むようになっている。なお、突起(17)は、必ずしもこのように出没可能とする必要はなく、壁本体(１)に固定するようにしても良い。
【００３０】
上フレーム部材(８)は、例えば断面略ロ字形の内側上枠材(12)と、その内側上枠材(12)の上側に固定され、開口部を上向きにした溝形の外側上枠材(13)とからなる。これら上枠材(12)(13)は、外側縦枠材(11)(11)の上端部間に差し渡されている。
【００３１】
外側上枠材(13)は、図９に示すように、上向きに開放した例えば断面コ字形とされ、壁本体(１)の壁厚方向に間隔を空けて設けられた一対の側壁部(31)(31)と、それら側壁部(31)(31)の下端間に跨る底部(32)とからなる。
【００３２】
外側上枠材(13)における各側壁部(31)(31)には、それぞれ一対のピン挿通孔(33)(33)…が横方向に間隔を空けて設けられている。ただし、外側上枠材(13)のそれぞれの側壁部(31)において、ピン挿通孔(33)(33)の個数は必ずしも２個である必要はなく、３個以上のピン挿通孔(33)(33)…を設けるようにしても良い。
【００３３】
下フレーム部材(９)は、例えば断面略ロ字形の内側下枠材(14)と、その内側下枠材(14)の下側に固定され、開口部を下向きにしたリップ付き溝形鋼からなる外側下枠材(15)とから構成されている。
【００３４】
壁本体(１)の下端部すなわち、外側下枠材(13)のリップ下面には、図３に示すように、可動間仕切り壁の移動をスムーズに行わせるための床面摺動用の滑材(23)(23)が、壁本体(１)の横幅の略全長に亘って取り付けられている。滑材(23)は、摩擦係数が小さく耐摩耗性に優れた素材からなり、具体的にはナイロン系樹脂からなる。
【００３５】
そして、可動間仕切り壁の上端部には、壁本体(１)を床面(24)と天井面(25)とに跨って突っ張り固定するための突っ張り固定装置(30)が設けられている。突っ張り固定装置(30)は、図４及び図６に示すように、壁本体(１)の上端部に横方向に移動可能に支持された第１の横材(40)と、壁本体(１)の上端部に縦方向に移動可能に支持されて、天井面(25)に対して当接可能とされた第２の横材(50)とを備えている。
【００３６】
第１の横材(40)は、図８に示すように、上向きに開放した断面略コ字形の長尺部材であり、壁本体(１)の壁厚方向に間隔を空けて設けられた一対の側壁部(41)(41)と、それら側壁部(41)(41)の下端部間に跨る底部(42)とを備えている。この第１横材(40)は、図５及び図７に示すように、外側上枠材(13)の溝内に嵌り込んでいる。
【００３７】
また、第１の横材(40)は、図８に示すように、その底部(42)両端部を立ち上げてなる立上がり部(45)(45)を備えている。そして、一端側の立上がり部(45)には、ボルト穴(46)が設けられ、他端側の立上がり部(45)には、コイルバネ(60)の一端を係止する係止部(47)が設けられている。
【００３８】
さらに、第１横材(40)の各側壁部(41)(41)には、第１の横材(40)の移動方向に延びる一対の傾斜穴(44)(44)…が、第１の横材(40)の移動方向に間隔を空けて設けられている。ただし、第１横材(40)のそれぞれの側壁部(41)において、傾斜穴の個数は、必ずしも２個である必要はなく、３個以上設けるようにしても良い。
【００３９】
さらにまた、第１横材(40)の各側壁部(41)(41)には、外側上枠材(13)のピン挿通孔(33)(33)…に対応するように、第１の横材(40)の移動方向に延びる一対の横穴(43)(43)…が、第１横材(40)の移動方向に間隔を空けて設けられている。横穴(43)(43)…は、傾斜穴(44)(44)…の上端部と略等しい高さに設けられている。また、横穴(43)(43)…の横幅は、傾斜穴(44)(44)…の横幅と略等しくなっている。
【００４０】
なお、第１横材(40)のそれぞれの側壁部(41)において、横穴の個数は、必ずしも２個である必要はなく、外側上枠材(13)のピン挿通孔(33)(33)の個数に応じて３個以上設けるようにしても良い。
【００４１】
第２の横材(50)は、開口部を下向きにした溝形の長尺部材であり、壁本体(１)の壁厚方向に間隔を空けて設けられた一対の側壁部(51)(51)と、それら側壁部(51)(51)の上端部間に跨る上面部(52)と、その上面部(52)より上側に向かって突出した突起部(56)とを備えている。第２の横材(50)は、図５及び図７に示すように、第１の横材(40)に被さるようにして、外側上枠材(13)の溝内に嵌り込んでいる。
【００４２】
また、第２の横材(50)の各側壁部(51)(51)には、図８に示すように、第１の横材(40)の傾斜穴(44)(44)…に対応するように、一対のピン挿通孔(54)(54)…が、第１の横材(40)の移動方向に間隔を空けて設けられ、第１の横材(40)の横穴(43)(43)…に対応するように、第２の横材(50)の移動方向に延びる一対の縦穴(53)(53)…が、第１の横材(40)の移動方向に間隔を空けて設けられている。それら縦穴(53)(53)…の縦幅は、傾斜穴(44)(44)…の縦幅と略等しくなっている。
【００４３】
ただし、第２の横材(50)のそれぞれの側壁部(51)において、縦穴の個数は、必ずしも２個である必要はなく、第１の横材(40)の横穴(43)(43)の個数に応じて３個以上設けるようにしても良い。
【００４４】
第２の横材(50)の突起部(56)は、第２の横材(50)の長さ方向に沿って、その略全長に亘ってレール状に設けられている。この突起部(56)は、壁本体(１)の上端部から突出して設けられ、天井面(25)に設けたガイドレール(27)に移動可能に挿入されるようになっている。また、上面部(52)の上面には、突起部(56)を挟んだ両側にそれぞれ緩衝材(57)(57)が取り付けられている。
【００４５】
そして、第１の横材(40)と第２の横材(50)とは、第２の横材(50)の互いに対応するピン挿通孔(54)(54)…に跨って取り付ける係合部材としての連結ピン(55)(55)を、第１の横材(40)の傾斜穴(44)(44)に挿通させることで、第１の横材(40)に第２の横材(50)を被せた状態で互いに連結されている。
【００４６】
また、それら第１の横材(40)及び第２の横材(50)は、図９に示すように、外側上枠材(13)の互いに対応するピン挿通孔(33)(33)…に跨って取り付ける係合部材としての支持ピン(35)(35)を、第１の横材(40)の横穴(43)(43)…及び第２の横材(50)の縦穴(53)(53)…に挿通させることで、外側上枠材(13)の溝内に嵌め込まれた状態で、外側上枠材(13)に支持されている。
【００４７】
この組立状態において、第１の横材(40)は、横穴(43)(43)…の範囲内で外側上枠材(13)に対して横方向に移動可能とされ、第２の横材(50)は、縦穴(53)(53)…の範囲内で外側上枠材(13)に対して縦方向に移動可能で、且つ、第１の横材(40)の傾斜穴(44)(44)…の範囲内において、第１の横材(40)に対して斜め上方に移動可能となっている。
【００４８】
そして、図４及び図６に示すように、一方の外側縦枠材(11)上端部に形成されたボルト挿通孔(59)へ挿通された単一の横ボルト(57)が、第１の横材(40)のボルト穴(46)に螺合している。横ボルト(57)は、第１の横材(40)の移動方向に沿った状態で、第１の横材(40)の一端側に螺着され、その頭部(58)が、壁本体(１)の端面側に配置されている。なお、横ボルト(57)の頭部(58)には、ドライバー先端を嵌め込むドライバー孔が設けられている。
【００４９】
また、他方の外側縦枠材(11)と、第１横材(40)の係止部(47)とに跨って、第１の横材(40)を横ボルト(57)頭部(58)から離間する側へ移動させる方向へ付勢する付勢体としてのコイルバネ(60)が横方向に沿って取り付けられている。
【００５０】
このような構成の突っ張り固定装置(30)においては、横ボルト(57)を回転操作することで、第１の横材(40)が、横穴(43)(43)…の範囲内で横ボルト(57)頭部(58)へ近接する側へ移動して、これに伴って、第１の横材(40)の傾斜穴(44)(44)…の穴壁が、第２の横材(50)の連結ピン(55)(55)を押し上げて、それらの連結ピン(55)(55)が、傾斜穴(44)(44)…に沿って移動して、第２の横材(50)が縦穴(53)(53)…の範囲内で上昇する。
【００５１】
このとき、第１の横材(40)は、コイルバネ(60)によって移動方向とは反対方向に付勢されるため、移動時のがたつきが軽減されるようになっている。また、このとき、第２の横材(50)は、外側上枠材(13)に対して横方向の移動が規制された状態で支持されているため、横方向の移動を伴うことなく縦方向に沿って上昇するようになっている。
【００５２】
他方、横ボルト(57)を上記とは逆方向に回転操作すると、第１の横材(40)が、横穴(43)(43)…の範囲内で横ボルト(57)頭部(58)から離間する側へ移動して、これに伴って、第１の横材(40)の傾斜穴(44)(44)…の穴壁が、第２の横材(50)の連結ピン(55)(55)を押し下げて、それらの連結ピン(55)(55)が、傾斜穴(44)(44)…に沿って移動して、第２の横材(50)が縦穴(53)(53)…の範囲内で下降する。
【００５３】
このとき、第１の横材(40)は、コイルバネ(60)によって移動方向に付勢されるため、スムーズにスライド移動するようになっている。また、このとき、第２の横材(50)は、横方向の移動を伴うことなく縦方向に沿って下降するようになっている。
【００５４】
このように、第１の横材(40)の傾斜穴(44)(44)…と、第２の横材(50)の連結ピン(55)(55)とによって、第１の横材(40)の移動に伴って、第２の横材(50)を縦方向に移動させる連動機構が構成されている。
【００５５】
そして、この連動機構により第２の横材(50)が上昇して、第２の横材(50)に取り付けられた緩衝材(57)(57)が、図４及び図５に示すように、圧縮されながら天井面(25)に押し当てられることで、可動間仕切り壁が、床面(24)から天井面(25)に跨って突っ張り固定される。
【００５６】
逆に、連動機構によって第２の横材(50)が下降して、第２の横材(50)に取り付けられた緩衝材(57)(57)が、図６及び図７に示すように、天井面(25)から離間することで、可動間仕切り壁の突っ張り固定が解除され、可動間仕切り壁を移動させることが可能となる。
【００５７】
すなわち、この可動間仕切り壁は、壁本体(１)の端面側に配置した横ボルト(57)頭部(58)にドライバー等を差し込んで、その単一の横ボルト(57)を回転操作するだけの簡単な操作によって、第２の横材(50)を傾くことなく平行な状態を維持させながら昇降させて、可動間仕切り壁を精度良く突っ張り固定したり、その突っ張り固定を解除できるようになっている。
【００５８】
なお、この可動間仕切り壁は、外側縦枠材(11)(11)が別の可動間仕切り壁の外側縦枠材と係合可能となっていて、外側縦枠材(11)(11)を利用することで、隣接する可動間仕切り壁と接合できるようになっている。また、別の可動間仕切り壁が隣接して設置されず、可動間仕切り壁の端面側に配置した横ボルト(57)頭部(58)や突起(17)が露出する場合は、その端面を覆い隠すようにして化粧用のカバーを取り付ければ良い。
【００５９】
この発明は、上記実施形態に限定されるものではなく、この発明の範囲内で上記実施形態に多くの修正及び変更を加え得ることは勿論である。例えば、この発明の突っ張り固定装置は、上記実施形態に示すような可動間仕切り壁に限られず、床面から天井面に跨って設けられる建具、又は地震等による転倒を防止するような家具その他の固定対象物にも適用できる。
【００６０】
また、上記実施形態においては、第１の横材の移動に伴って、第２の横材を縦方向に移動させる連動機構を、係合部材としての連結ピン(55)(55)と傾斜穴(44)(44)…とによって構成しているが、単一のボルトの回転操作によって第１の横材が横方向に移動するのに伴って、第２の横材を縦方向に移動させることができれば、どのような機構であっても良い。
【００６１】
さらに、上記実施形態においては、第１の横材に傾斜穴(44)(44)…を設け、第２の横材に係合部材(55)(55)を設けているが、第１の横材に係合部材を設け、第２の横材に傾斜穴を設けるようにしても良い。
【００６２】
さらにまた、上記実施形態においては、第１の横材に横穴(43)(43)…を、第２の横材に縦穴(53)(53)…をそれぞれ設けて、枠材としての外側上枠材(13)に係合部材としての支持ピン(35)(35)を設けているが、第１の横材及び第２の横材に係合部材を設け、枠材に横穴及び縦穴を設けるようにしても良い。
【図面の簡単な説明】
【００６３】
【図１】この発明の一実施形態に係る可動間仕切り壁を示す斜視図である。
【図２】可動間仕切壁のフレームを示す正面図である。
【図３】可動間仕切壁の下端部を示す断面図である。
【図４】突っ張り固定した可動間仕切壁を正面側から見た断面図である。
【図５】同じくその可動間仕切壁を側面側から見た断面図である。
【図６】突っ張り固定を解除した可動間仕切壁を正面側から見た断面図である。
【図７】同じくその可動間仕切壁を側面側から見た断面図である。
【図８】第１の横材及び第２の横材を示す斜視図である。
【図９】同じくそれら横材と外側上枠材とを示す斜視図である。
【符号の説明】
【００６４】
(１)  壁本体
(13)  枠材(外側上枠材)
(24)  床面
(25)  天井面
(30)  突っ張り固定装置
(35)  係合部材(支持ピン)
(40)  第１の横材
(43)  横穴
(44)  傾斜穴
(50)  第２の横材
(53)  縦穴
(55)  係合部材(連結ピン)
(57)  ボルト
(58)  ボルト頭部
(60)  付勢体(コイルバネ)
【図１】
2006207223.tif 000003
【図２】
2006207223.tif 000004
【図３】
2006207223.tif 000005
【図４】
2006207223.tif 000006
【図５】
2006207223.tif 000007
【図６】
2006207223.tif 000008
【図７】
2006207223.tif 000009
【図８】
2006207223.tif 000010
【図９】
2006207223.tif 000011